【手続補正書】
【提出日】平成25年3月21日(2013.3.21)
【手続補正１】
【補正対象書類名】明細書
【補正対象項目名】０００６
【補正方法】変更
【補正の内容】
【０００６】
上記課題は、以下の手段により解決される。即ち、
請求項１に係る発明は、
結着樹脂と、硫黄元素と、Ｍｇ元素と、を含有するトナー粒子を有し、
前記トナー粒子に含有される硫黄元素の蛍光Ｘ線（ＸＲＦ）分析によるＮｅｔ強度をＣｓ（ｋｃｐｓ）、前記トナー粒子に含有されるＭｇ元素の蛍光Ｘ線（ＸＲＦ）分析によるＮｅｔ強度をＣｍ（ｋｃｐｓ）としたとき、下記関係式（１）及び（２）を満たす静電潜像現像用トナー。
関係式（１）：０．２＜Ｃｍ＜０．４
関係式（２）：４．５＜Ｃｓ／Ｃｍ＜５．５
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２に係る発明は、
前記トナー粒子が、３−ヒドロキシ-２，２’−イミノジコハク酸を含有する請求項１に記載の静電潜像現像用トナー。
【手続補正４】
【補正対象書類名】明細書
【補正対象項目名】０００９
【補正方法】変更
【補正の内容】
【０００９】
請求項３に係る発明は、
外添剤として、Ｍｇ元素を含む無機粒子を有する請求項１又は２に記載の静電潜像現像用トナー。
【手続補正５】
【補正対象書類名】明細書
【補正対象項目名】００１０
【補正方法】変更
【補正の内容】
【００１０】
請求項４に係る発明は、
トナーを低温低湿環境下で攪拌しながら保存した後、さらに高温高湿環境下で攪拌しながら保存したとき、トナーの前記高温高湿環境下での保存前後における前記トナーの水分率変化量が０．１質量％以上１．０質量％以下である請求項１〜３のいずれか１項に記載の静電潜像現像用トナー。
【手続補正６】
【補正対象書類名】明細書
【補正対象項目名】００１１
【補正方法】変更
【補正の内容】
【００１１】
請求項５に係る発明は、
請求項１〜４のいずれか１項に記載の静電潜像現像用トナーを含む静電潜像現像用現像剤。
【手続補正７】
【補正対象書類名】明細書
【補正対象項目名】００１２
【補正方法】変更
【補正の内容】
【００１２】
請求項６に係る発明は、
請求項１〜４のいずれか１項に記載の静電潜像現像用トナーが収納されたトナーカートリッジ。
【手続補正８】
【補正対象書類名】明細書
【補正対象項目名】００１３
【補正方法】変更
【補正の内容】
【００１３】
請求項７に係る発明は、
請求項５に記載の静電荷現像用現像剤を収容し、前記静電荷現像用現像剤により、像保持体上に形成された静電荷像をトナー像として現像する現像手段を備え、
画像形成装置に脱着されるプロセスカートリッジ。
【手続補正９】
【補正対象書類名】明細書
【補正対象項目名】００１４
【補正方法】変更
【補正の内容】
【００１４】
請求項８に係る発明は、
像保持体と、
前記像保持体を帯電する帯電手段と、
帯電した前記像保持体の表面に静電荷像を形成する静電荷像形成手段と、
請求項５に記載の静電荷現像用現像剤を収容し、前記静電荷現像用現像剤により、前記像保持体上に形成された前記静電荷像をトナー像として現像する現像手段と、
前記像保持体上に形成された前記トナー像を被転写体上に転写する転写手段と、
前記被転写体上に転写された前記トナー像を定着する定着手段と、
を有する画像形成装置。
【手続補正１０】
【補正対象書類名】明細書
【補正対象項目名】００１５
【補正方法】変更
【補正の内容】
【００１５】
請求項１に係る発明によれば、硫黄元素とＭｇ元素とにおける蛍光Ｘ線（ＸＲＦ）分析によるＮｅｔ強度の関係が上記関係式（１）及び（２）を満たさない場合に比べ、色点の発生を抑制した画像が得られる。
請求項１に係る発明によれば、トナー粒子がＡｌを含む場合に比べ、色点の発生を抑制した画像が得られる。
請求項２に係る発明によれば、トナー粒子が３−ヒドロキシ-２，２’−イミノジコハク酸を含有しない場合に比べ、耐久性が向上した画像が得られる。
請求項３に係る発明によれば、外添剤として、Ｍｇ元素を持たない無機粒子を有する場合に比べ、色点の発生を抑制した画像が得られる。
請求項４に係る発明によれば、トナーの水分変化率が上記範囲外に比べ、色点の発生を抑制した画像が得られる。
請求項５、６、７、８に係る発明によれば、硫黄元素とＭｇ元素とにおける蛍光Ｘ線（ＸＲＦ）分析によるＮｅｔ強度の関係が上記関係式（１）及び（２）を満たさないトナーを適用した場合に比べ、色点の発生を抑制した画像が得られる。
【手続補正１１】
【補正対象書類名】明細書
【補正対象項目名】００１７
【補正方法】変更
【補正の内容】
【００１７】
以下、本発明の実施形態について詳細に説明する。
［静電潜像現像用トナー］
本実施形態に係る静電潜像現像用トナー（以下、単に「トナー」と称する場合がある）は、トナー粒子と、必要に応じて、外添剤と、を有する。
トナー粒子は、結着樹脂と、硫黄元素と、Ａｌ及びＭｇから選ばれる１種の元素と、を含んで構成される。そして、トナー粒子は、硫黄元素の蛍光Ｘ線（ＸＲＦ）分析によるＮｅｔ強度をＣｓ（ｋｃｐｓ）、Ａｌ及びＭｇから選ばれる１種の元素の蛍光Ｘ線（ＸＲＦ）分析によるＮｅｔ強度をＣｍ（ｋｃｐｓ）としたとき、下記関係式（１）及び（２）を満たす。但し、本実施形態に係るトナーは、Ａｌ及びＭｇから選ばれる１種の元素のうち、Ｍｇ元素が含まれるトナー粒子が適用される。
関係式（１）：０．２＜Ｃｍ＜０．４
関係式（２）：４．５＜Ｃｓ／Ｃｍ＜５．５
なお、Ｃｍは、Ａｌ及びＭｇの双方が含まれている場合、その合計のＮｅｔ強度を意味する。
【手続補正１２】
【補正対象書類名】特許請求の範囲
【補正対象項目名】全文
【補正方法】変更
【補正の内容】
【特許請求の範囲】
【請求項１】
結着樹脂と、硫黄元素と、Ｍｇ元素と、を含有するトナー粒子を有し、
前記トナー粒子に含有される硫黄元素の蛍光Ｘ線（ＸＲＦ）分析によるＮｅｔ強度をＣｓ（ｋｃｐｓ）、前記トナー粒子に含有されるＭｇ元素の蛍光Ｘ線（ＸＲＦ）分析によるＮｅｔ強度をＣｍ（ｋｃｐｓ）としたとき、下記関係式（１）及び（２）を満たす静電潜像現像用トナー。
関係式（１）：０．２＜Ｃｍ＜０．４
関係式（２）：４．５＜Ｃｓ／Ｃｍ＜５．５
【請求項２】
前記トナー粒子が、３−ヒドロキシ-２，２’−イミノジコハク酸を含有する請求項１に記載の静電潜像現像用トナー。
【請求項３】
外添剤として、Ｍｇ元素を含む無機粒子を有する請求項１又は２に記載の静電潜像現像用トナー。
【請求項４】
トナーを低温低湿環境下で攪拌しながら保存した後、さらに高温高湿環境下で攪拌しながら保存したとき、トナーの前記高温高湿環境下での保存前後における前記トナーの水分率変化量が０．１質量％以上１．０質量％以下である請求項１〜３のいずれか１項に記載の静電潜像現像用トナー。
【請求項５】
請求項１〜４のいずれか１項に記載の静電潜像現像用トナーを含む静電潜像現像用現像剤。
【請求項６】
請求項１〜４のいずれか１項に記載の静電潜像現像用トナーが収納されたトナーカートリッジ。
【請求項７】
請求項５に記載の静電荷現像用現像剤を収容し、前記静電荷現像用現像剤により、像保持体上に形成された静電荷像をトナー像として現像する現像手段を備え、
画像形成装置に脱着されるプロセスカートリッジ。
【請求項８】
像保持体と、
前記像保持体を帯電する帯電手段と、
帯電した前記像保持体の表面に静電荷像を形成する静電荷像形成手段と、
請求項５に記載の静電荷現像用現像剤を収容し、前記静電荷現像用現像剤により、前記像保持体上に形成された前記静電荷像をトナー像として現像する現像手段と、
前記像保持体上に形成された前記トナー像を被転写体上に転写する転写手段と、
前記被転写体上に転写された前記トナー像を定着する定着手段と、
を有する画像形成装置。